(57)【要約】【課題】プルダウンシャフトの持ち方のバリエーションを増やすことができる技術を提案する。【解決手段】プルダウンシャフトは、ベースシャフトと、少なくとも１つの取付部と、一対の保持部と、を有する。少なくとも１つの取付部は、グリップを備える。一対の保持部は、ベースシャフトの両端に配置される。一対の保持部それぞれは、取付部を着脱可能に保持する。【選択図】図１
2020178775.tif 000002
【特許請求の範囲】
【請求項１】
プルダウンシャフトであって、
ベースシャフトと、
グリップを備える少なくとも１つの取付部と、
前記ベースシャフトの両端に配置される一対の保持部と、を有し、
前記一対の保持部それぞれは、前記取付部を着脱可能に保持する、プルダウンシャフト。
【請求項２】
請求項１に記載のプルダウンシャフトであって、
前記少なくとも１つの取付部及び前記一対の保持部のうちのいずれか一方は、挿入部を有し、
前記一方とは異なる他方は、前記挿入部が挿入可能に構成された被挿入部を有しており、
前記挿入部が前記被挿入部に挿入されることで、前記保持部による前記取付部の保持が実現される、プルダウンシャフト。
【請求項３】
請求項２に記載のプルダウンシャフトであって、
前記少なくとも１つの取付部及び前記一対の保持部のうちの少なくともいずれか一方には、前記挿入部が前記被挿入部に挿入された状態で当該一方とは異なる他方を係止することにより、前記被挿入部から前記挿入部が抜けることを抑制する係止部が設けられている、プルダウンシャフト。
【請求項４】
請求項２に記載のプルダウンシャフトであって、
前記挿入部は棒状の部材であり、
前記被挿入部は、前記挿入部が挿入可能である挿入穴であり、
前記挿入穴への前記挿入部の挿入は、前記挿入部と前記挿入穴とを前記ベースシャフトの長さ方向に接近させることにより実現される、プルダウンシャフト。
【請求項５】
請求項４に記載のプルダウンシャフトであって、
前記挿入部には、少なくとも１つの第１係止穴が形成され、かつ、前記少なくとも１つの取付部及び前記一対の保持部のうちの前記他方には、前記挿入穴の壁面を貫通する少なくとも１つの第２係止穴が形成されており、
前記少なくとも１つの第１係止穴、及び、前記少なくとも１つの第２係止穴は、前記挿入部を前記挿入穴に挿入したときに連通した状態となることが可能に構成されており、
さらに、連通した状態の前記少なくとも１つの第１係止穴及び前記少なくとも１つの第２係止穴に挿入されることにより、前記取付部と前記保持部との前記長さ方向の相対的な移動を抑制する移動抑制部材を備える、プルダウンシャフト。
【請求項６】
請求項５に記載のプルダウンシャフトであって、
さらに、前記移動抑制部材と一体に設けられ、前記移動抑制部材が連通した状態の前記少なくとも１つの第１係止穴及び前記少なくとも１つの第２係止穴に挿入されたときに、前記保持部における前記挿入穴の端部の少なくとも一部を被覆するカバーを備える、プルダウンシャフト。
【請求項７】
請求項５又は請求項６に記載のプルダウンシャフトであって、
前記少なくとも１つの第１係止穴及び前記少なくとも１つの第２係止穴のうち少なくともいずれか一方は、前記長さ方向に関して異なる位置に形成される２つ以上の穴を有する、プルダウンシャフト。
【請求項８】
複数のグリップと、ベースシャフトと、を備えるプルダウンシャフトであって、
前記ベースシャフトには、回転軸が該ベースシャフトと交差する方向となるように回転可能に構成された少なくとも１つの回転部が設けられており、
前記グリップは、前記少なくとも１つの回転部に備えられる、プルダウンシャフト。
【請求項９】
請求項８に記載のプルダウンシャフトであって、
前記回転部は、ボールベアリングを用いた回転機構により回転可能に構成されている、プルダウンシャフト。
【請求項１０】
請求項１から請求項７のいずれか１項に記載のプルダウンシャフトを構成するベースシャフトであって、前記一対の保持部を備えるベースシャフト。
【請求項１１】
請求項１から請求項７のいずれか１項に記載のプルダウンシャフトを構成する取付部を備えるトレーニング用部品。
【発明の詳細な説明】
【技術分野】
【０００１】
本開示は、ウエイトを用いたトレーニングを行う際に使用するプルダウンシャフトに関する。
【背景技術】
【０００２】
従来、トレーニング装置としてラットプルマシンが用いられている。ラットプルマシンを用いたトレーニングでは、プルダウンシャフトの持ち方を変えることにより、様々な筋肉を鍛えることができる。下記特許文献１では、ハンドルの向きを変更して持つことで様々なトレーニングを行うことができる装置が示されている。
【先行技術文献】
【特許文献】
【０００３】
【特許文献１】特許４９９３９４５第号公報
【発明の概要】
【発明が解決しようとする課題】
【０００４】
従来のプルダウンシャフトを用いたラットプルマシンでは、プルダウンシャフトの持ち方が限られているため、トレーニングの種類に限界があった。
本開示の目的は、プルダウンシャフトの持ち方のバリエーションを増やすことができる技術を提案することである。
【課題を解決するための手段】
【０００５】
本開示の一態様は、プルダウンシャフトであって、ベースシャフトと、少なくとも１つの取付部と、一対の保持部と、を有する。少なくとも１つの取付部は、グリップを備える。一対の保持部は、ベースシャフトの両端に配置される。一対の保持部それぞれは、取付部を着脱可能に保持する。
【０００６】
このような構成であれば、保持部に対して取り付ける取付部を変更することが可能であり、その際に、グリップの配置が異なる取付部を保持部に取り付けることで、ベースシャフトに対するグリップの配置を変更できる。したがって、プルダウンシャフトの持ち方のバリエーションを増やすことができる。
【０００７】
上述したプルダウンシャフトにおいて、少なくとも１つの取付部及び一対の保持部のうちのいずれか一方は、挿入部を有してもよい。また、上記一方とは異なる他方は、挿入部が挿入可能に構成された被挿入部を有していてもよい。挿入部が被挿入部に挿入されることで、保持部による取付部の保持が実現されてもよい。
【０００８】
このような構成であれば、挿入部を被挿入部に挿入せることで、保持部による取付部の保持を実現できる。よって、簡便にプルダウンシャフトを使用可能な状態とすることができる。
【０００９】
上述したプルダウンシャフトにおいて、少なくとも１つの取付部及び一対の保持部のうちの少なくともいずれか一方には、挿入部が被挿入部に挿入された状態で一方とは異なる他方を係止することにより、被挿入部から挿入部が抜けることを抑制する係止部が設けられていてもよい。このような構成であれば、プルダウンシャフトの使用者が意図せずに、取付部が保持部から脱落してしまうことを抑制できる。
【００１０】
上述したプルダウンシャフトにおいて、挿入部は棒状の部材であってもよい。被挿入部は、挿入部が挿入可能である挿入穴であってもよい。挿入穴への挿入部の挿入は、挿入部と挿入穴とをベースシャフトの長さ方向に接近させることにより実現されてもよい。
【００１１】
このような構成であれば、棒状の挿入部を挿入穴に挿入することで、保持部による取付部の保持を実現できる。
上述したプルダウンシャフトにおいて、挿入部には、少なくとも１つの第１係止穴が形成され、かつ、少なくとも１つの取付部及び一対の保持部のうちの他方には、挿入穴の壁面を貫通する少なくとも１つの第２係止穴が形成されていてもよい。少なくとも１つの第１係止穴、及び、少なくとも１つの第２係止穴は、挿入部を挿入穴に挿入したときに連通した状態となることが可能に構成されていてもよい。さらに、連通した状態の少なくとも１つの第１係止穴及び少なくとも１つの第２係止穴に挿入されることにより、取付部と保持部との長さ方向の相対的な移動を抑制する移動抑制部材を備えてもよい。
【００１２】
このような構成であれば、重なった状態の第１係止穴と第２係止穴に移動抑制部材を挿入することで、プルダウンシャフトの使用者が意図せずに、取付部が保持部から脱落してしまうことを抑制できる。
【００１３】
上述したプルダウンシャフトにおいて、さらに、移動抑制部材と一体に設けられ、移動抑制部材が連通した状態の少なくとも１つの第１係止穴及び少なくとも１つの第２係止穴に挿入されたときに、保持部における挿入穴の端部の少なくとも一部を被覆するカバーを備えてもよい。このような構成であれば、カバーによって、挿入穴の端部と挿入部との境界部分を覆うことができるため、その境界部分の隙間に手などが挟まってしまうことを抑制できる。
【００１４】
本開示の一態様では、少なくとも１つの第１係止穴及び少なくとも１つの第２係止穴のうち少なくともいずれか一方は、長さ方向に関して異なる位置に形成される２つ以上の穴を有してもよい。
【００１５】
このような構成であれば、移動抑制部材が挿入される第１係止穴と第２係止穴との組み合わせを変更することに伴い、挿入部の被挿入部への挿入深さが変化する。それにより、ベースシャフトの長さ方向に関するグリップの位置を変更することができる。
【００１６】
本開示の一態様は、上述したプルダウンシャフトを構成するベースシャフトであって、上述した一対の保持部を備えるベースシャフトである。このような構成であれば、保持部に上述した取付部を取り付けることができる。
【００１７】
本開示の一態様は、上述したプルダウンシャフトを構成する取付部を備えるトレーニング用部品である。このような構成であれば、上述した一態様のプルダウンシャフトを構成するベースシャフトに取り付けることができる。
【００１８】
本開示の別の一態様は、複数のグリップと、ベースシャフトと、を備えるプルダウンシャフトであって、ベースシャフトには、回転軸がベースシャフトと交差する方向となるように回転可能に構成された少なくとも１つの回転部が設けられている。グリップは、少なくとも１つの回転部に備えられる。
【００１９】
このような構成であれば、回転部の回転に伴ってグリップも回転し、グリップのベースシャフトに対する角度が変化する。したがって、プルダウンシャフトの持ち方のバリエーションを増やすことができる。
【００２０】
上述したプルダウンシャフトにおいて、回転部は、ボールベアリングを用いた回転機構により回転可能に構成されていてもよい。
このような構成であれば、スムーズに回転部を回転させることができる。
【図面の簡単な説明】
【００２１】
【図１】図１Ａは第１実施形態のプルダウンシャフトの正面図であり、図１Ｂは第１実施形態のプルダウンシャフトの平面図であり、図１Ｃは第１実施形態のプルダウンシャフトの取付部と保持部とを分離した状態の平面図である。
【図２】図２Ａは第１実施形態の取付部の平面図であり、図２Ｂは第１実施形態の取付部の正面図であり、図２Ｃは第１実施形態の取付部の底面図であり、図２Ｄは第１実施形態の取付部の右側面図であり、図２Ｅは図２ＡのＩＩＤ−ＩＩＤ断面図である。
【図３】図３Ａは第１実施形態の保持部の平面図であり、図３Ｂは第１実施形態の保持部のＩＩＩＢ−ＩＩＩＢ断面図であり、図３Ｃは図３Ｂと同じ視点であって、保持部に取付部を挿入した状態を示す断面図である。
【図４】図４Ａ〜図４Ｄは、いずれも取付部の別の例を示す図である。
【図５】図５Ａは保持部の変形例であって、図３Ｂと同じ断面による断面図であり、図５Ｂは取付部の変形例であって、図２Ｅと同じ断面による断面図であり、図５Ｃは当該変形例の保持部と取付部とを組み合わせた状態を示す断面図である。
【図６】図６Ａは第２実施形態のプルダウンシャフトの正面図であり、図６Ｂは第２実施形態のプルダウンシャフトの平面図であり、図６Ｃは第２実施形態のプルダウンシャフトの取付部と保持部とを分離した状態の平面図である。
【図７】図７Ａは第２実施形態の取付部の平面図であり、図７Ｂは図７ＡのＶＩＩＢ−ＶＩＩＢ断面図である。
【図８】図６ＢのＶＩＩＩ−ＶＩＩＩ断面図であって、保持部のみを示す図である。
【図９】図９Ａは図６ＢのＶＩＩＩ−ＶＩＩＩ断面図であって、保持部と取付部とを示す図であり、図９Ｂは図９Ａに固定ピンを加えた図であり、図９Ｃは図９Ｂとは別の第１係止穴に固定ピンの差込部を挿入した図である。
【図１０】図９ＢのＸ−Ｘ断面図である。
【図１１】図１１Ａ〜図１１Ｄは、いずれも取付部の変形例を示す図である。
【図１２】図１２Ａは第３実施形態のプルダウンシャフトの正面図であり、図１２Ｂは第３実施形態のプルダウンシャフトの平面図であり、図１２Ｃは図１２ＢのＸＩＩＣ−ＸＩＩＣ断面図である。
【図１３】図１３Ａは他の実施形態のプルダウンシャフトの平面図であり、図１３Ｂは図１３ＡのＸＩＩＩＢ−ＸＩＩＩＢ断面図である。
【発明を実施するための形態】
【００２２】
以下に本開示の実施形態を図面と共に説明する。
［１．第１実施形態］
［１−１．プルダウンシャフトの構成］
図１Ａ−１Ｂに示されるプルダウンシャフト１は、ベースシャフト１１と、一対の取付部１２と、一対の保持部１３と、を備える。一対の保持部１３それぞれは、取付部１２を着脱可能に保持する。即ち、図１Ｃに示されるように、取付部１２と保持部１３とは分離可能である。
【００２３】
ベースシャフト１１は、棒状の部材である。ベースシャフト１１の長さ方向の略中央には、外側に突出するように連結部１４が設けられている。連結部１４は、中央に貫通孔が形成されている。この貫通孔は、例えばトレーニングマシンのウエイトと連結するためのチェーンを接続可能である。ベースシャフト１１における連結部１４が設けられた側を仮に上方向と規定したときには、ベースシャフト１１の断面は、上下方向に長い楕円形である。
【００２４】
図２Ａ−２Ｅに示されるように、取付部１２は、挿入部２１と、グリップ２２と、を備える。
挿入部２１は、中央に開口２４が形成される筒状形状であり、平面視で外縁が略六角形である。また挿入部２１は、図２Ｂ、２Ｄに示されるように、開口２４の側面のうち、軸方向の一方の側に位置する第１外周面２１ａが、他方の側に位置する第２外周面２１ｂより外側に広く張り出している。第１外周面２１ａと第２外周面２１ｂとは、段差面２１ｃによって連接される。挿入部２１の側面のうち、開口２４を中心とした反対側の２か所に、外側に突出する突起２３が形成されている。開口２４の内部には、３つのグリップ２２が並べて配置されている。
【００２５】
図３Ａ−３Ｂに、ベースシャフト１１の両端に配置される保持部１３の一方を示す。保持部１３は、取付部１２の挿入部２１よりもわずかに大きい筒状形状であって、その中央に、挿入部２１が挿入可能に構成された開口３１を有している。開口３１を構成する保持部１３の内側壁面のうち、開口３１の軸方向の一方の端部には、周方向に広がり開口３１の中心側に突出する突出部３２が形成されている。
【００２６】
保持部１３の開口３１に取付部１２を挿入すると、図３Ｃに示されるように、取付部１２の段差面２１ｃが突出部３２に当接するように取付部１２が嵌め込まれる。開口３１が被挿入部に相当する。
【００２７】
保持部１３には、嵌め入れられた取付部１２の２つの突起２３に対応する２か所に、係止部３３が設けられている。係止部３３は、開口３１の内側に向けて突出する突出片である。係止部３３に荷重が加えられないときには、係止部３３は開口３１の内部に突出している。係止部３３に荷重が加えられると一時的に保持部１３の壁面内部に収まるように変位する。
【００２８】
図３Ｃに示されるように、挿入部２１が開口３１に嵌め入れられた状態では、突起２３は突出部３２と係止部３３との間に挟み込まれる。つまり、係止部３３が挿入部２１の突起２３を係止し、それにより、開口３１からの挿入部２１の脱落が抑制される。
【００２９】
係止部３３は、保持部１３の外周面から突出する操作片３３ａを使用者が操作したときに、開口３１への突出量が小さくなるように変位するように構成されている。それにより、上述した係止が解除され、開口３１から挿入部２１を取り外し可能となる。
【００３０】
係止部３３の具体的な構成は特に限定されない。例えばスプリングなどの付勢部材によって３１の内側に付勢されていてもよい。また例えば、係止部３３は保持部１３と一体に構成されており、保持部１３の弾性変形を利用して変位するように構成されていてもよい。
【００３１】
図４Ａ−４Ｄに、異なる形態の取付部の例を示す。図４Ａ−４Ｃに示す取付部４１〜４３は、取付部１２と比較して、グリップ２２の向きが異なる。また図４Ｄに示す取付部４４のように、グリップ２２が挿入部２１からはみ出すように傾斜して配置されていてもよい。
【００３２】
［１−２．効果］
以上詳述した第１実施形態によれば、以下の効果が得られる。
（１ａ）プルダウンシャフト１では、挿入部２１を開口３１に挿入することで、簡便に保持部１３に対して取付部１２を取り付けることができる。そしてプルダウンシャフト１では、保持部１３に対して取り付ける取付部１２を変更することが可能である。その際に、グリップ２２の配置が異なる取付部を保持部に取り付けることで、ベースシャフト１１に対するグリップ２２の配置を変更できる。したがって、プルダウンシャフト１の持ち方のバリエーションを増やすことができる。
【００３３】
（１ｂ）プルダウンシャフト１では、保持部１３に設けられた係止部３３が取付部１２を係止し、取付部１２が保持部１３から脱落してしまうことを抑制する。よって、プルダウンシャフト１の使用者が意図せずに、取付部１２が保持部１３から脱落してしまうことを抑制できる。
【００３４】
［１−３．第１実施形態の変形例］
ベースシャフト１１は、図１Ａ−１Ｂに示されるような直線状の部材に限定されず、全体として曲がっていたり、一部が曲がっていたりしてもよい。またベースシャフト１１は、断面形状が長さ方向の位置により異なっていてもよい。ベースシャフト１１の変形例は、本第１実施形態以外の実施形態においても同様に適用できる。
【００３５】
取付部１２は、平面視での外形が略六角形である構成に限定されず、それ以外の形状であってもよい。例えば、平面視での外形が矩形や楕円形でもよい。また、保持部１３の形状も、取付部１２と同様に特に限定されない。例えば、矩形や楕円形でもよい。
【００３６】
図５Ａ−５Ｃに、取付部と保持部の組み合わせ構造の変形例を示す。図５Ｂ，図５Ｃにおいてはグリップ２２の図示を省略している。上述した図３Ａ−３Ｂでは２か所に係止部３３が形成される構成を例示した。しかしながら、図５Ａに示される保持部５１には、操作可能である係止部３３は１か所にのみ設けられる。そして、保持部５１の内側面の一部に溝５２が形成される。図５Ｂに示される取付部５３は、突起２３とは反対側の端部において、溝５２に挿入可能な突起５４が形成されている。
【００３７】
図５Ｃに示されるように、突起５４が溝５２に差し込まれ、突起２３が係止部３３に係止されることで、取付部５３が保持部５１に取り付けられ、また取付部５３の保持部５１からの脱落が抑制される。このような構成であれば、取付部５３の脱着時に使用者が操作する必要がある操作片３３ａがプルダウンシャフト１か所でよいため、簡便に取付部５３を保持部５１から取り外すことができるようになる。
【００３８】
［２．第２実施形態］
［２−１．プルダウンシャフトの構成］
第２実施形態は、取付部及び保持部の構成が第１実施形態と相違する。なお、第１実施形態と同じ符号は、同一の構成を示すものであって、先行する説明を参照する。
【００３９】
図６Ａ−６Ｂに示されるプルダウンシャフト１０１は、ベースシャフト１１１と、一対の取付部１１２と、一対の保持部１１３と、２つの固定ピン１１４と、を備える。一対の保持部１１３それぞれは、取付部１１２を着脱可能に保持する。即ち、図６Ｃに示されるように、取付部１１２と保持部１１３とは分離可能に構成されている。
【００４０】
ベースシャフト１１１は、棒状の部材である。ベースシャフト１１１の長さ方向の略中央には、外側に突出するように連結部１４が設けられている。ベースシャフト１１１の断面は、上下方向に長い楕円形である。以下の説明において、ベースシャフト１１１の長さ方向と平行である方向を、単に長さ方向と記載する。
【００４１】
図７Ａ−７Ｂに示されるように、取付部１１２は、環状部１２１と、延出部１２２と、挿入部１２３と、グリップ２２と、を備える。
環状部１２１は、長さ方向と同方向に長い長円形状である。環状部１２１は、３つのグリップ２２を取り囲み、それら３つのグリップ２２を保持する。
【００４２】
延出部１２２は、環状部１２１から延び出す棒状の部材である。
挿入部１２３は、延出部１２２の先端に設けられる。挿入部１２３は、延出部１２２の延び出す方向と同じ方向に延び、延出部１２２よりも細く、楕円形の断面を有する棒状の部材である。
【００４３】
挿入部１２３には、挿入部１２３の延び出す方向に間隔を空けて並ぶように３つの第１係止穴１２４が形成される。言い換えると、３つの第１係止穴１２４は、長さ方向の異なる位置に形成される。
【００４４】
図８に示されるように、一対の保持部１１３は、ベースシャフト１１１の両端に設けられている。保持部１１３は、挿入部１２３が挿入可能である挿入穴１４１を有する筒状の部材である。挿入穴１４１の開口は、ベースシャフト１１１の長さ方向の端部に位置する。保持部１１３は、図１０に示されるように、断面が楕円形である。また挿入穴１４１も断面が楕円形である。挿入穴１４１が被挿入部に相当する。
【００４５】
説明を図８に戻る。保持部１１３におけるベースシャフト１１１の長さ方向の端部の近傍には、挿入穴１４１を構成する壁面を貫通する２つの第２係止穴１４２が形成されている。２つの第２係止穴１４２は、筒状の壁面の対向する位置に、中心軸が同一となるように形成されている。
【００４６】
挿入穴１４１への挿入部１２３の挿入は、挿入部１２３と挿入穴１４１とを長さ方向に接近させることにより実現される。挿入部１２３と挿入穴１４１との間のクリアランスは小さく、がたつきの発生が抑制される。
【００４７】
図９Ａに示されるように、挿入部１２３を挿入穴１４１に挿入することで、３つの第１係止穴１２４のいずれか１つと、第２係止穴１４２とが重なる。
固定ピン１１４は、図１０に示されるように、差込部１５１と、カバー１５２とを備える。差込部１５１は、連通した状態の第２係止穴１４２及び第１係止穴１２４に挿入可能な棒状の形状である。カバー１５２は、保持部１１３の周壁面に沿って曲がった形状の板状の部材である。カバー１５２は、差込部１５１の一端から周壁面に沿うように図１０の左右両側から保持部１１３の側面に沿って延び、差込部１５１の他端の近傍まで拡がっている。
【００４８】
カバー１５２は、例えば合成樹脂などの弾性を有する部材で形成されている。そのため、差込部１５１を第２係止穴１４２及び第１係止穴１２４に挿通させる過程では、カバー１５２は保持部１１３によって押し広げられる。差込部１５１を奥まで挿入すると、カバー１５２の内側に挿入部１２３及び保持部１１３が収められる。差込部１５１とカバー１５２とは同一の材料で構成されていてもよいし、別の材料で構成されていてもよい。
【００４９】
上述した差込部１５１が、連通した状態の第２係止穴１４２及び第１係止穴１２４に挿入されることにより、挿入部１２３と挿入穴１４１との長さ方向の相対的な移動が抑制される。差込部１５１が移動抑制部材に相当する。
【００５０】
また、カバー１５２は、差込部１５１が上記のように挿入されたときに、図９Ｂに示されるように、保持部１１３における挿入穴１４１の端部の一部を被覆する。
また図９Ｃに示すように、固定ピン１１４を取り付ける第１係止穴１２４を変更すると、挿入部１２３の挿入穴１４１への挿入深さが変化し、ベースシャフト１１１から突出する取付部１１２の長さが変化する。これにより、ベースシャフト１１１の両端に位置する取付部１１２同士の間隔を変化させることができる。
【００５１】
図１１Ａ−１１Ｄに、異なる形態の取付部の例を示す。図１１Ａ−１１Ｃに示す取付部１６１〜１６３は、取付部１１２と比較して、グリップ２２の向きが異なる。また図１１Ｄに示す取付部１６４のように、グリップ２２が挿入部２１からはみ出すように傾斜して配置されていてもよい。
【００５２】
［２−２．効果］
以上詳述した第２実施形態によれば、以下の効果が得られる。
（２ａ）プルダウンシャフト１０１では、挿入部１２３を挿入穴１４１に挿入することで、簡便に保持部１１３に対して取付部１１２を取り付けることができる。そしてプルダウンシャフト１では、保持部１１３に対して取り付ける取付部１１２を変更することが可能である。その際に、グリップ２２の配置が異なる取付部を保持部に取り付けることで、プルダウンシャフト１０１の持ち方のバリエーションを増やすことができる。
【００５３】
（２ｂ）プルダウンシャフト１０１では、挿入穴１４１への挿入部１２３の挿入は、挿入部１２３と挿入穴１４１とを長さ方向に接近させることにより実現される。よって、棒状の挿入部１２３を挿入穴１４１に挿入することで、保持部１１３による取付部１１２の保持を実現できる。また挿入部１２３の挿入方向（ベースシャフト１１１の長さ方向）は、トレーニングを行う際にプルダウンシャフト１０１に加えられる荷重の方向に対して交差する方向である。そのため、トレーニング時にプルダウンシャフト１０１に荷重が加わっても、使用者が意図せずに挿入部１２３が挿入穴１４１から脱落してしまうことを抑制できる。
【００５４】
（２ｃ）プルダウンシャフト１０１では、固定ピン１１４の保持部５１を、重なった状態の第１係止穴１２４と第２係止穴１４２に挿入することで、取付部１１２が保持部１１３から脱落してしまうことを抑制できる。
【００５５】
（２ｄ）プルダウンシャフト１０１では、固定ピン１１４がカバー１５２を備えており、保持部１１３における挿入穴１４１の端部を被覆する。このカバー１５２によって、挿入穴１４１の端部と挿入部１２３との境界部分を覆うことができるため、その境界部分の隙間に手などが挟まってしまうことを抑制できる。
【００５６】
（２ｅ）プルダウンシャフト１０１では、挿入部１２３に複数の第１係止穴１２４が形成されており、第２係止穴１４２と共に差込部１５１を挿入する第１係止穴１２４を任意に選択することができる。それにより、挿入部１２３の挿入穴１４１への挿入深さが変化し、ベースシャフト１１１の長さ方向に関するグリップ２２の位置を変更することができる。
【００５７】
（２ｆ）プルダウンシャフト１０１では、挿入穴１４１及び挿入部１２３の断面が楕円形であって、小さなクリアランスで挿入される。そのため、保持部１１３の軸方向を中心とする挿入部１２３の回転位置が案内され、容易に１２４と１４２との位置を合わせることができる。
【００５８】
［２−３．第２実施形態の変形例］
取付部１１２は、外形が長円形状に限定されず、それ以外の形状であってもよい。例えば、矩形や多角形でもよい。また、挿入部１２３は断面が楕円形である構成を例示したが、挿入部１２３の断面形状は、円形や矩形などの他の形状であってもよい。なお、円形以外の断面形状であれば、上記の効果（２ｆ）にて説明したように、第１係止穴１２４と第２係止穴１４２との開口が同じ向き（例えば、上下向き）となるように、挿入部１２３の挿入時の回転位置を案内することができる。
【００５９】
また、挿入部１２３に形成される第１係止穴１２４の数は特に限定されず、１つのみ形成されていてもよい。
保持部１１３の具体的な形態も特に限定されない。例えば、第２係止穴１４２が長さ方向の異なる位置に２つ以上形成されていてもよい。
【００６０】
［３．第３実施形態］
［３−１．プルダウンシャフトの構成］
第３実施形態は、取付部及び保持部を備えない点で第１実施形態及び第２実施形態と相違する。なお、第１実施形態と同じ符号は、同一の構成を示すものであって、先行する説明を参照する。
【００６１】
図１２Ａ−１２Ｂに示されるプルダウンシャフト２０１は、ベースシャフト２１１と、一対のグリップユニット２１２と、を備える。グリップ２２は、グリップユニット２１２に設けられている。
【００６２】
ベースシャフト２１１は、棒状の部材である。ベースシャフト２１１の長さ方向の略中央には、外側に突出するように連結部１４が設けられている。ベースシャフト２１１の断面は、上下方向に長い楕円形である。
【００６３】
一対のグリップユニット２１２は、ベースシャフト２１１の長さ方向の両端部に設けられている。グリップユニット２１２は、固定部２２１と、回転部２２２と、とを備える。
固定部２２１は、ベースシャフト２１１に固定される。回転部２２２は、ベースシャフト２１１の長さ方向と直交する方向を回転軸として回転可能に構成されている。図１２Ｃに示されるように、回転部２２２は、固定部２２１に対してボール２２３を介して回転可能に保持される。つまりグリップユニット２１２は、固定部２２１を外輪、回転部２２２を内輪とするボールベアリングを用いた回転機構を構成する。回転部２２２は、ボールベアリングを用いた回転機構により回転可能となる。なお、ボールベアリングを構成するための保持器等の他の部材については図示及び説明を省略する。
【００６４】
グリップ２２は、回転部２２２に固定されている。即ち、グリップ２２はベースシャフト２１１に対して回転可能である。
［３−２．効果］
以上詳述した第３実施形態によれば、以下の効果が得られる。
【００６５】
（３Ａ）プルダウンシャフト２０１では、回転部２２２の回転に伴ってグリップ２２も回転し、グリップ２２のベースシャフト２１１に対する角度が変化する。したがって、プルダウンシャフト２０１の持ち方のバリエーションを増やすことができる。
【００６６】
（３Ｂ）プルダウンシャフト２０１では、回転部２２２は、ボールベアリングを用いた回転機構により回転可能に構成されている。そのため、スムーズに回転部２２２を回転させることができる。また、ボールベアリングを用いた回転機構であるため、固定部２２１及び回転部２２２の破損の発生を抑制できる。
【００６７】
［３−３．第３実施形態の変形例］
回転部２２２は、回転位置を固定するための固定機構を備えていてもよい。その場合、グリップ２２の位置を固定することができ都合がよい。
【００６８】
［４．その他の実施形態］
以上本開示の実施形態について説明したが、本開示は、上記実施形態に何ら限定されることはなく、本開示の技術的範囲に属する限り種々の形態をとり得ることはいうまでもない。
【００６９】
（４Ａ）上記第１及び第２実施形態では、取付部と保持部とが着脱可能である構成を例示し、第３実施形態では、回転部２２２によってグリップ２２が回転可能である構成を例示した。ここで、例えば第１又は第２の実施形態において、取付部に回転部を設け、グリップ２２が取付部において回転可能に構成されていてもよい。
【００７０】
（４Ｂ）上記第１及び第２実施形態では、筒状の挿入部２１と棒状の挿入部１２３とを例示し、保持部はそれらに応じた形状である構成を例示したが、挿入部及び保持部はこれら以外の形状であってもよい。
【００７１】
例えば、図１３Ａ−１３Ｂに示されるプルダウンシャフト３０１は、ベースシャフト１１の両端に平面視でＵ字型の保持部３２１が設けられている。また取付部３２２は、内部にグリップ２２を備える筒状である。保持部３２１には、取付部３２２をベースシャフト１１の長さ方向にスライドさせることによって着脱可能に構成されている。なお、さらに取付部３２２の脱落を防止する機構を備えていてもよい。
【００７２】
（４Ｃ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００７３】
（４Ｄ）上述したプルダウンシャフトの他、当該プルダウンシャフトの構成要素であるベースシャフト、又は、取付部を備えるトレーニング用品など、種々の形態で本開示を実現することもできる。
【符号の説明】
【００７４】
１，１０１，２０１，３０１…プルダウンシャフト、１１，１１１，２１１…ベースシャフト、１２，４１，４２，４３，４４，５３，１１２，１６１，１６２，１６３，１６４，３２２…取付部、１３，５１，１１３，３２１…保持部、１４…連結部、２１，１２３…挿入部、２１ａ…第１外周面、２１ｂ…第２外周面、２１ｃ…段差面、２２…グリップ、２３，５４…突起、２４，３１…開口、３２…突出部、３３…係止部、３３ａ…操作片、５２…溝、１１４…固定ピン、１２１…環状部、１２２…延出部、１２４…第１係止穴、１４１…挿入穴、１４２…第２係止穴、１５１…差込部、１５２…カバー、２１２…グリップユニット、２２１…固定部、２２２…回転部、２２３…ボール。
【図１】
2020178775.tif 000003
【図２】
2020178775.tif 000004
【図３】
2020178775.tif 000005
【図４】
2020178775.tif 000006
【図５】
2020178775.tif 000007
【図６】
2020178775.tif 000008
【図７】
2020178775.tif 000009
【図８】
2020178775.tif 000010
【図９】
2020178775.tif 000011
【図１０】
2020178775.tif 000012
【図１１】
2020178775.tif 000013
【図１２】
2020178775.tif 000014
【図１３】
2020178775.tif 000015
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
複数のグリップと、ベースシャフトと、を備えるプルダウンシャフトであって、
前記ベースシャフトには、回転軸が該ベースシャフトと交差する方向となるように回転可能に構成された少なくとも１つの回転部が設けられており、
前記グリップは、前記少なくとも１つの回転部に備えられる、プルダウンシャフト。
【請求項２】
請求項１に記載のプルダウンシャフトであって、
前記回転部は、ボールベアリングを用いた回転機構により回転可能に構成されている、プルダウンシャフト。
【請求項３】
プルダウンシャフトであって、
ベースシャフトと、
グリップを備える少なくとも１つの取付部と、
前記ベースシャフトの両端に配置される一対の保持部と、を有し、
前記一対の保持部それぞれは、前記取付部を着脱可能に保持する、プルダウンシャフト。
【請求項４】
請求項３に記載のプルダウンシャフトであって、
前記少なくとも１つの取付部及び前記一対の保持部のうちのいずれか一方は、挿入部を有し、
前記一方とは異なる他方は、前記挿入部が挿入可能に構成された被挿入部を有しており、
前記挿入部が前記被挿入部に挿入されることで、前記保持部による前記取付部の保持が実現される、プルダウンシャフト。
【請求項５】
請求項４に記載のプルダウンシャフトであって、
前記少なくとも１つの取付部及び前記一対の保持部のうちの少なくともいずれか一方には、前記挿入部が前記被挿入部に挿入された状態で当該一方とは異なる他方を係止することにより、前記被挿入部から前記挿入部が抜けることを抑制する係止部が設けられている、プルダウンシャフト。
【請求項６】
請求項４に記載のプルダウンシャフトであって、
前記挿入部は棒状の部材であり、
前記被挿入部は、前記挿入部が挿入可能である挿入穴であり、
前記挿入穴への前記挿入部の挿入は、前記挿入部と前記挿入穴とを前記ベースシャフトの長さ方向に接近させることにより実現される、プルダウンシャフト。
【請求項７】
請求項６に記載のプルダウンシャフトであって、
前記挿入部には、少なくとも１つの第１係止穴が形成され、かつ、前記少なくとも１つの取付部及び前記一対の保持部のうちの前記他方には、前記挿入穴の壁面を貫通する少なくとも１つの第２係止穴が形成されており、
前記少なくとも１つの第１係止穴、及び、前記少なくとも１つの第２係止穴は、前記挿入部を前記挿入穴に挿入したときに連通した状態となることが可能に構成されており、
さらに、連通した状態の前記少なくとも１つの第１係止穴及び前記少なくとも１つの第２係止穴に挿入されることにより、前記取付部と前記保持部との前記長さ方向の相対的な移動を抑制する移動抑制部材を備える、プルダウンシャフト。
【請求項８】
請求項７に記載のプルダウンシャフトであって、
さらに、前記移動抑制部材と一体に設けられ、前記移動抑制部材が連通した状態の前記少なくとも１つの第１係止穴及び前記少なくとも１つの第２係止穴に挿入されたときに、前記保持部における前記挿入穴の端部の少なくとも一部を被覆するカバーを備える、プルダウンシャフト。
【請求項９】
請求項７又は請求項８に記載のプルダウンシャフトであって、
前記少なくとも１つの第１係止穴及び前記少なくとも１つの第２係止穴のうち少なくともいずれか一方は、前記長さ方向に関して異なる位置に形成される２つ以上の穴を有する、プルダウンシャフト。
【請求項１０】
請求項３から請求項９のいずれか１項に記載のプルダウンシャフトを構成するベースシャフトであって、前記一対の保持部を備えるベースシャフト。
【請求項１１】
請求項３から請求項９のいずれか１項に記載のプルダウンシャフトを構成する取付部を備えるトレーニング用部品。